【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
エネルギーが異なる放射線を被写体に照射することにより、第１放射線画像及び第２放射線画像を撮影し、前記第１放射線画像及び前記第２放射線画像に基づく差分画像を生成する放射線画像撮影装置であって、
前記第１放射線画像の撮影条件である第１の管電圧に基づいて、前記第１放射線画像の撮影において散乱線を除去するために仮想的に使用したものとする第１のグリッドの特性であり、前記第１放射線画像における散乱線の除去量を設定するための第１の仮想グリッド特性、及び、前記第２放射線画像の撮影条件である第２の管電圧に基づいて、前記第２放射線画像の撮影において散乱線を除去するために仮想的に使用したものとする第２のグリッドの特性であり、前記第２放射線画像にける散乱線の除去量を設定するための第２の仮想グリッド特性、を導出する導出部と、
前記第１の仮想グリッド特性に基づき前記第１放射線画像に第１の散乱線除去処理を行い、前記第２の仮想グリッド特性に基づき前記第２放射線画像に第２の散乱線除去処理を行う実行部と、
前記実行部で前記第１の散乱線除去処理が実行された前記第１放射線画像、及び、前記実行部で前記第２の散乱線除去処理が実行された前記第２放射線画像の各画素同士を対応させて、重みを付けた差分計算処理を行い、前記差分画像を生成するエネルギーサブトラクション処理部と、
を備えた放射線画像撮影装置。
【請求項２】
前記第１の管電圧、及び前記第２の管電圧を取得する取得部をさらに備え、
前記導出部は、前記取得部で取得した、前記第１の管電圧から前記第１の仮想グリッド特性を導出し、前記第２の管電圧から前記第２の仮想グリッド特性を導出する、
請求項１に記載の放射線画像撮影装置。
【請求項３】
前記取得部は、被写体に向けて放射線を照射する放射線源を制御する線源制御部から、前記第１放射線画像の撮影条件の実績値、及び前記第２放射線画像の撮影条件の実績値を取得する、
請求項２に記載の放射線画像撮影装置。
【請求項４】
前記実行部は、前記第１放射線画像を解析することにより得られた第１の散乱成分情報と、前記第１の仮想グリッド特性とに基づいて、前記第１放射線画像における散乱線とみなせる周波数帯域の周波数成分を低減させることにより前記第１の散乱線除去処理を行い、第２放射線画像を解析することにより得られた第２の散乱成分情報と、前記第２の仮想グリッド特性とに基づいて、前記第２放射線画像における散乱線とみなせる周波数帯域の周波数成分を低減させることにより前記第２の散乱線除去処理を行う、
請求項１から請求項３のいずれか１項に記載の放射線画像撮影装置。
【請求項５】
前記実行部は、前記第１放射線画像を周波数分解して複数の周波数帯域毎の周波数成分を取得し、少なくとも１つの周波数成分のゲインを低減する処理を行い、処理済みの周波数成分及びこれ以外の周波数成分を合成する前記第１の散乱線除去処理を行い、前記第２放射線画像を周波数分解して複数の周波数帯域毎の周波数成分を取得し、少なくとも１つの周波数成分のゲインを低減する処理を行い、処理済みの周波数成分及びこれ以外の周波数成分を合成する前記第２の散乱線除去処理を行う、
請求項１から請求項３のいずれか１項に記載の放射線画像撮影装置。
【請求項６】
前記実行部は、散乱線透過率、一次線透過率、及び散乱線含有率分布から周波数成分を変換する変換係数を周波数帯域毎に導出し、前記周波数分解して得られた周波数成分に、対応する周波数帯域の変換係数を乗算することにより、当該周波数成分のゲインを低減する、
請求項５に記載の放射線画像撮影装置。
【請求項７】
前記撮影条件と、当該撮影条件に応じた仮想グリッド特性と、が対応付けられて記憶された記憶部をさらに備え、
前記導出部は、前記第１放射線画像の撮影条件に対応する前記仮想グリッド特性を前記第１の仮想グリッド特性として前記記憶部から読み出すことにより前記第１の仮想グリッド特性を導出し、前記第２放射線画像の撮影条件に対応する前記仮想グリッド特性を第２の仮想グリッド特性として前記記憶部から読み出すことにより前記第２の仮想グリッド特性を導出する、
請求項１から請求項６のいずれか１項に記載の放射線画像撮影装置。
【請求項８】
前記導出部が、撮影条件に加えて前記被写体の体格に関する情報も使用して前記第１の仮想グリッド特性及び前記第２の仮想グリッド特性を導出する、
請求項１から請求項７のいずれか１項に記載の放射線画像撮影装置。
【請求項９】
前記第１の仮想グリッド特性は、前記第１のグリッドのグリッド比であり、
前記第２の仮想グリッド特性は、前記第２のグリッドのグリッド比である、
請求項１から請求項８のいずれか１項に記載の放射線画像撮影装置。
【請求項１０】
前記被写体に照射された放射線のエネルギーが高い方が、グリッド比が高い、
請求項９に記載の放射線画像撮影装置。
【請求項１１】
前記導出部は、さらに前記被写体の体厚の推定値に基づいて前記仮想グリッド特性を導出する、
請求項１から請求項１０のいずれか１項に記載の放射線画像撮影装置。
【請求項１２】
エネルギーが異なる放射線を被写体に照射することにより、第１放射線画像及び第２放射線画像を撮影し、前記第１放射線画像及び前記第２放射線画像に基づく差分画像を生成する放射線画像撮影装置による放射線画像撮影方法であって、
前記第１放射線画像の撮影条件である第１の管電圧に基づいて、前記第１放射線画像の撮影において散乱線を除去するために仮想的に使用したものとする第１のグリッドの特性であり、前記第１放射線画像における散乱線の除去量を設定するための第１の仮想グリッド特性、及び、前記第２放射線画像の撮影条件である第２の管電圧に基づいて、前記第２放射線画像の撮影において散乱線を除去するために仮想的に使用したものとする第２のグリッドの特性であり、前記第２放射線画像にける散乱線の除去量を設定するための第２の仮想グリッド特性、を導出し、
前記第１の仮想グリッド特性に基づき前記第１放射線画像に第１の散乱線除去処理を行い、前記第２の仮想グリッド特性に基づき前記第２放射線画像に第２の散乱線除去処理を行い
前記第１の散乱線除去処理が実行された前記第１放射線画像、及び前記第２の散乱線除去処理が実行された前記第２放射線画像の各画素同士を対応させて、重みを付けた差分計算処理を行う、
ことを含む処理を実行させる放射線画像撮影方法。
【請求項１３】
エネルギーが異なる放射線を被写体に照射することにより、第１放射線画像及び第２放射線画像を撮影し、前記第１放射線画像及び前記第２放射線画像に基づく差分画像を生成する放射線画像撮影装置による放射線画像撮影方法をコンピュータに実行させるための放射線画像撮影プログラムであって、
前記第１放射線画像の撮影条件である第１の管電圧に基づいて、前記第１放射線画像の撮影において散乱線を除去するために仮想的に使用したものとする第１のグリッドの特性であり、前記第１放射線画像における散乱線の除去量を設定するための第１の仮想グリッド特性、及び、前記第２放射線画像の撮影条件である第２の管電圧に基づいて、前記第２放射線画像の撮影において散乱線を除去するために仮想的に使用したものとする第２のグリッドの特性であり、前記第２放射線画像にける散乱線の除去量を設定するための第２の仮想グリッド特性、を導出し、
前記第１の仮想グリッド特性に基づき前記第１放射線画像に第１の散乱線除去処理を行い、前記第２の仮想グリッド特性に基づき前記第２放射線画像に第２の散乱線除去処理を行い
前記第１の散乱線除去処理が実行された前記第１放射線画像、及び前記第２の散乱線除去処理が実行された前記第２放射線画像の各画素同士を対応させて、重みを付けた差分計算処理を行う、
ことを含む処理を実行させる放射線画像撮影プログラム。
【手続補正２】
【補正対象書類名】明細書
【補正対象項目名】０００９
【補正方法】変更
【補正の内容】
【０００９】
本発明の放射線画像撮影装置は、エネルギーが異なる放射線を被写体に照射することにより、第１放射線画像及び第２放射線画像を撮影し、第１放射線画像及び第２放射線画像に基づく差分画像を生成する放射線画像撮影装置であって、第１放射線画像の撮影条件である第１の管電圧に基づいて、第１放射線画像の撮影において散乱線を除去するために仮想的に使用したものとする第１のグリッドの特性であり、第１放射線画像における散乱線の除去量を設定するための第１の仮想グリッド特性、及び、第２放射線画像の撮影条件である第２の管電圧に基づいて、第２放射線画像の撮影において散乱線を除去するために仮想的に使用したものとする第２のグリッドの特性であり、第２放射線画像にける散乱線の除去量を設定するための第２の仮想グリッド特性、を導出する導出部と、第１の仮想グリッド特性に基づき第１放射線画像に第１の散乱線除去処理を行い、第２の仮想グリッド特性に基づき第２放射線画像に第２の散乱線除去処理を行う実行部と、実行部で第１の散乱線除去処理が実行された第１放射線画像、及び、実行部で第２の散乱線除去処理が実行された第２放射線画像の各画素同士を対応させて、重みを付けた差分計算処理を行い、差分画像を生成するエネルギーサブトラクション処理部と、を備える。
また、本発明の放射線画像撮影装置は、第１の管電圧、及び第２の管電圧を取得する取得部をさらに備え、導出部は、取得部で取得した、第１の管電圧から第１の仮想グリッド特性を導出し、第２の管電圧から第２の仮想グリッド特性を導出してもよい。
また、本発明の放射線画像撮影装置の取得部は、被写体に向けて放射線を照射する放射線源を制御する線源制御部から、第１放射線画像の撮影条件の実績値、及び第２放射線画像の撮影条件の実績値を取得してもよい。
また、本発明の放射線画像撮影装置の実行部は、第１放射線画像を解析することにより得られた第１の散乱成分情報と、第１の仮想グリッド特性とに基づいて、第１放射線画像における散乱線とみなせる周波数帯域の周波数成分を低減させることにより第１の散乱線除去処理を行い、第２放射線画像を解析することにより得られた第２の散乱成分情報と、第２の仮想グリッド特性とに基づいて、第２放射線画像における散乱線とみなせる周波数帯域の周波数成分を低減させることにより第２の散乱線除去処理を行ってもよい。
また、本発明の放射線画像撮影装置の実行部は、第１放射線画像を周波数分解して複数の周波数帯域毎の周波数成分を取得し、少なくとも１つの周波数成分のゲインを低減する処理を行い、処理済みの周波数成分及びこれ以外の周波数成分を合成する第１の散乱線除去処理を行い、第２放射線画像を周波数分解して複数の周波数帯域毎の周波数成分を取得し、少なくとも１つの周波数成分のゲインを低減する処理を行い、処理済みの周波数成分及びこれ以外の周波数成分を合成する第２の散乱線除去処理を行ってもよい。
また、本発明の放射線画像撮影装置の実行部は、散乱線透過率、一次線透過率、及び散乱線含有率分布から周波数成分を変換する変換係数を周波数帯域毎に導出し、周波数分解して得られた周波数成分に、対応する周波数帯域の変換係数を乗算することにより、当該周波数成分のゲインを低減してもよい。
【手続補正３】
【補正対象書類名】明細書
【補正対象項目名】００１０
【補正方法】変更
【補正の内容】
【００１０】
また、本発明の放射線画像撮影装置は、撮影条件と、撮影条件に応じた仮想グリッド特性と、が対応付けられて記憶された記憶部をさらに備え、導出部は、
第１放射線画像の撮影条件に対応する仮想グリッド特性を第１の仮想グリッド特性として記憶部から読み出すことにより第１の仮想グリッド特性を導出し、第２放射線画像の撮影条件に対応する仮想グリッド特性を第２の仮想グリッド特性として記憶部から読み出すことにより第２の仮想グリッド特性を導出してもよい。
【手続補正４】
【補正対象書類名】明細書
【補正対象項目名】００１１
【補正方法】変更
【補正の内容】
【００１１】
また、本発明の放射線画像撮影装置は導出部が、撮影条件に加えて被写体の体格に関する情報も使用して第１の仮想グリッド特性及び第２の仮想グリッド特性を導出してもよい。
【手続補正５】
【補正対象書類名】明細書
【補正対象項目名】００１２
【補正方法】変更
【補正の内容】
【００１２】
また、本発明の放射線画像撮影装置の第１の仮想グリッド特性は、第１のグリッドのグリッド比であり、第２の仮想グリッド特性は、第２のグリッドのグリッド比であってもよい。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
また、本発明の放射線画像撮影装置では、被写体に照射された放射線のエネルギーが高い方が、グリッド比が高くてもよい。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
また、本発明の放射線画像撮影装置では、被写体に照射された放射線のエネルギーが高い方が、グリッド比が高くてもよい。
【手続補正１０】
【補正対象書類名】明細書
【補正対象項目名】００１７
【補正方法】変更
【補正の内容】
【００１７】
本発明の放射線画像撮影方法は、エネルギーが異なる放射線を被写体に照射することにより、第１放射線画像及び第２放射線画像を撮影し、第１放射線画像及び第２放射線画像に基づく差分画像を生成する放射線画像撮影装置による放射線画像撮影方法であって、第１放射線画像の撮影条件である第１の管電圧に基づいて、第１放射線画像の撮影において散乱線を除去するために仮想的に使用したものとする第１のグリッドの特性であり、第１放射線画像における散乱線の除去量を設定するための第１の仮想グリッド特性、及び、第２放射線画像の撮影条件である第２の管電圧に基づいて、第２放射線画像の撮影において散乱線を除去するために仮想的に使用したものとする第２のグリッドの特性であり、第２放射線画像にける散乱線の除去量を設定するための第２の仮想グリッド特性、を導出し、第１の仮想グリッド特性に基づき第１放射線画像に第１の散乱線除去処理を行い、第２の仮想グリッド特性に基づき第２放射線画像に第２の散乱線除去処理を行い第１の散乱線除去処理が実行された第１放射線画像、及び第２の散乱線除去処理が実行された第２放射線画像の各画素同士を対応させて、重みを付けた差分計算処理を行う、ことを含む処理を実行させる。
【手続補正１１】
【補正対象書類名】明細書
【補正対象項目名】００１８
【補正方法】変更
【補正の内容】
【００１８】
本発明の放射線画像撮影プログラムは、エネルギーが異なる放射線を被写体に照射することにより、第１放射線画像及び第２放射線画像を撮影し、第１放射線画像及び第２放射線画像に基づく差分画像を生成する放射線画像撮影装置による放射線画像撮影方法をコンピュータに実行させるための放射線画像撮影プログラムであって、第１放射線画像の撮影条件である第１の管電圧に基づいて、第１放射線画像の撮影において散乱線を除去するために仮想的に使用したものとする第１のグリッドの特性であり、第１放射線画像における散乱線の除去量を設定するための第１の仮想グリッド特性、及び、第２放射線画像の撮影条件である第２の管電圧に基づいて、第２放射線画像の撮影において散乱線を除去するために仮想的に使用したものとする第２のグリッドの特性であり、第２放射線画像にける散乱線の除去量を設定するための第２の仮想グリッド特性、を導出し、第１の仮想グリッド特性に基づき第１放射線画像に第１の散乱線除去処理を行い、第２の仮想グリッド特性に基づき第２放射線画像に第２の散乱線除去処理を行い第１の散乱線除去処理が実行された第１放射線画像、及び第２の散乱線除去処理が実行された第２放射線画像の各画素同士を対応させて、重みを付けた差分計算処理を行う、ことを含む処理を実行させるものである。